(57)【要約】【課題】取得した撮影画像に人物とＩＣチップが搭載されたオブジェクトとの両方が含まれているか否かによらず処理を進める場合に比べて、当該処理の信頼性を高めることを目的とする。【解決手段】情報処理装置１は、オブジェクト３に搭載されたＩＣチップから取得される個人を識別するための個人情報と、撮影された画像データとを取得する取得部と、取得部により取得した画像データを解析し、当該画像データに、人物２とＩＣチップが搭載されたオブジェクト３との両方が含まれている場合、当該画像データの取得後にＩＣチップから取得される個人情報を利用した処理を行い、当該画像データに、人物２とＩＣチップが搭載されたオブジェクト３との少なくとも一方が含まれていない場合、当該処理を行わない制御部、を有する。【選択図】図３
2020194295.tif 000002
【特許請求の範囲】
【請求項１】
オブジェクトに搭載されたＩＣチップから取得される個人を識別するための個人情報と、撮影された画像データとを取得する取得部と、
前記取得部により取得した前記画像データを解析し、当該画像データに、人物と前記ＩＣチップが搭載された前記オブジェクトとの両方が含まれている場合、当該画像データの取得後に前記ＩＣチップから取得される前記個人情報を利用した処理を行い、当該画像データに、前記人物と前記ＩＣチップが搭載されたオブジェクトとの少なくとも一方が含まれていない場合、当該処理を行わない制御部と、
を有する情報処理装置。
【請求項２】
前記画像データを解析した結果、前記人物が前記オブジェクトを把持し、かつ予め定められた動作を行っていると認められる場合、前記処理を行う請求項１に記載の情報処理装置。
【請求項３】
前記オブジェクトに搭載された前記ＩＣチップと近距離通信を行う通信部をさらに有する請求項２に記載の情報処理装置。
【請求項４】
前記予め定められた動作は、近距離通信を行うために前記オブジェクトを前記通信部に近づける動作である請求項３に記載の情報処理装置。
【請求項５】
前記予め定められた動作は、前記ＩＣチップから前記個人情報が取得される前の予め定められた期間に行われる請求項２から請求項４の何れか１項に記載の情報処理装置。
【請求項６】
前記人物に、音声、画像、及び文字の少なくとも１つを用いて通知を行う通知部をさらに有し、
前記制御部は、前記通知部により、前記人物及び前記オブジェクトを撮影するために、前記人物を誘導するための通知を行う請求項１から請求項５の何れか１項に記載の情報処理装置。
【請求項７】
前記制御部は、前記人物及び前記オブジェクトの画像が取得できなかった場合、前記通知部に画像が取得できなかった旨を通知させる請求項６に記載の情報処理装置。
【請求項８】
撮影している前記人物及び前記オブジェクトの画像を画面に表示する表示部をさらに有し、
前記通知部は、前記表示部の画面中に予め定められた領域に前記人物及びオブジェクトの少なくとも一方が配置されていない場合、前記予め定められた領域に映すための指示を通知する請求項６又は請求項７に記載の情報処理装置。
【請求項９】
撮影している前記人物及び前記オブジェクトの画像を画面に表示する表示部をさらに有し、
前記通知部は、前記表示部の画面中の予め定められた領域に複数の人物又は複数のオブジェクトが映っている場合、前記予め定められた領域に単一の人物又は単一のオブジェクトを映すための指示を通知する請求項６から請求項８の何れか１項に記載の情報処理装置。
【請求項１０】
前記個人情報は、前記通信部により前記ＩＣチップから読み取られる情報、又は前記ＩＣチップから読み取られた情報により特定される情報である請求項３から請求項４の何れか１項に記載の情報処理装置。
【請求項１１】
前記制御部は、さらに、前記個人情報と、前記画像データを解析した解析結果との照合を行い、前記個人情報と前記解析結果とに対応が認められる場合に、前記人物を認証する請求項１から請求項１０の何れか１項に記載の情報処理装置。
【請求項１２】
前記オブジェクトは、文字を含み、
前記個人情報は、予め登録された文字を含み、
前記制御部は、前記照合として、前記個人情報に含まれる予め登録された文字と、前記画像データを解析して得られる前記オブジェクトに含まれる文字とが対応するか否かを確認する請求項１１に記載の情報処理装置。
【請求項１３】
前記オブジェクトは、人物の画像を含み、
前記個人情報は、予め登録された人物の画像を含み、
前記制御部は、前記照合として、前記個人情報に含まれる予め登録された人物の画像と、前記オブジェクトに含まれる前記人物の画像とが対応するか否かを確認する請求項１１又は請求項１２に記載の情報処理装置。
【請求項１４】
前記オブジェクトは、形状を有し、
前記個人情報は、予め登録された形状の情報を有し、
前記制御部は、前記照合として、前記個人情報に含まれる予め登録された形状の情報と、前記オブジェクトの形状とが対応するか否かを確認する請求項１１から請求項１３の何れか１項に記載の情報処理装置。
【請求項１５】
オブジェクトに搭載されたＩＣチップから取得される個人を識別するための個人情報と、撮影された画像データとを取得するステップと、
取得した前記画像データを解析し、当該画像データに、人物と前記ＩＣチップが搭載された前記オブジェクトとの両方が含まれている場合、当該画像データの取得後に前記ＩＣチップから取得される前記個人情報を利用した処理を行い、当該画像データに、前記人物と前記ＩＣチップが搭載されたオブジェクトとの少なくとも一方が含まれていない場合、当該処理を行わないステップと、
をコンピュータに実行させる情報処理プログラム。
【発明の詳細な説明】
【技術分野】
【０００１】
本発明は、情報処理装置、及び情報処理プログラムに関する。
【背景技術】
【０００２】
特許文献１には、顔画像データを記憶した記憶手段を備えたＩＣカードを認証する認証システムであって、前記ＩＣカードは、予め指定した暗証番号、或いは当該暗証番号に対応するデータを暗号化キーとしてデータが暗号化されたものであり、認証対象者の顔を撮像する撮像手段と、前記ＩＣカードとの間で電磁波を送受信するアンテナと、前記アンテナを介して送受信される電磁波に基づいて前記ＩＣカードを捕捉する捕捉手段と、前記捕捉手段によって捕捉された前記ＩＣカードから前記顔画像データを読み取る読取手段と、前記撮像手段によって得られた前記認証対象者の顔の撮像画像と、前記読取手段によって読み取られた前記顔画像データとを照合する照合手段と、前記照合手段による照合結果を出力する出力手段と、を備え、前記撮像手段は、前記捕捉手段が前記ＩＣカードを捕捉した後、前記認証対象者の顔を撮像する構成であり、前記読取手段は、前記撮像手段が前記認証対象者の顔を撮像した後に、前記暗証番号を取得し、前記暗証番号に基づいて前記ＩＣカードのデータを解読し、解読が成功した場合に前記ＩＣカードに記憶された前記顔画像データを取得することを特徴とするＩＣカードの認証システムが開示されている。
【先行技術文献】
【特許文献】
【０００３】
【特許文献１】特開２０１２−０６８９２４号公報
【発明の概要】
【発明が解決しようとする課題】
【０００４】
本開示は、ＩＣチップから取得される個人情報を用いた処理を行うのに際し、取得した撮影画像に人物とＩＣチップが搭載されたオブジェクトとの両方が含まれているか否かによらず処理を進める場合に比べて、当該処理の信頼性を高めることを目的とする。
【課題を解決するための手段】
【０００５】
第１の態様の情報処理装置は、オブジェクトに搭載されたＩＣチップから取得される個人を識別するための個人情報と、撮影された画像データとを取得する取得部と、取得部により取得した画像データを解析し、当該画像データに、人物とＩＣチップが搭載されたオブジェクトとの両方が含まれている場合、当該画像データの取得後にＩＣチップから取得される個人情報を利用した処理を行い、当該画像データに、人物とＩＣチップが搭載されたオブジェクトとの少なくとも一方が含まれていない場合、当該処理を行わない制御部と、を有する。
【０００６】
第２の態様の情報処理装置は、画像データを解析した結果、人物がオブジェクトを把持し、かつ予め定められた動作を行っていると認められる場合、個人情報を利用した処理を行う。
【０００７】
第３の態様の情報処理装置は、オブジェクトに搭載された前記ＩＣチップと近距離通信を行う通信部をさらに有する。
【０００８】
第４の態様の情報処理装置は、予め定められた動作は、近距離通信を行うためにオブジェクトを通信部に近づける動作である。
【０００９】
第５の態様の情報処理装置は、予め定められた動作は、ＩＣチップから個人情報が取得される前の予め定められた期間に行われる。
【００１０】
第６の態様の情報処理装置は、人物に、音声、画像、及び文字の少なくとも１つを用いて通知を行う通知部をさらに有し、制御部は、通知部により、人物及び前記オブジェクトを撮影するために、人物を誘導するための通知を行う。
【００１１】
第７の態様の情報処理装置は、制御部は、人物及びオブジェクトの画像が取得できなかった場合、通知部に画像が取得できなかった旨を通知させる。
【００１２】
第８の態様の情報処理装置は、撮影している人物及びオブジェクトの画像を画面に表示する表示部をさらに有し、通知部は、表示部の画面中に予め定められた領域に人物及びオブジェクトの少なくとも一方が配置されていない場合、予め定められた領域に映すための指示を通知する。
【００１３】
第９の態様の情報処理装置は、撮影している人物及び前記オブジェクトの画像を画面に表示する表示部をさらに有し、通知部は、表示部の画面中の予め定められた領域に複数の人物又は複数のオブジェクトが映っている場合、予め定められた領域に単一の人物又は単一のオブジェクトを映すための指示を通知する。
【００１４】
第１０の態様の情報処理装置は、個人情報は、通信部によりＩＣチップから読み取られる情報、又はＩＣチップから読み取られた情報により特定される情報である。
【００１５】
第１１の態様の情報処理装置は、制御部は、さらに、個人情報と、画像データを解析した解析結果との照合を行い、個人情報と解析結果とに対応が認められる場合に、人物を認証する。
【００１６】
第１２の態様の情報処理装置は、オブジェクトは、文字を含み、個人情報は、予め登録された文字を含み、制御部は、照合として、個人情報に含まれる予め登録された文字と、画像データを解析して得られるオブジェクトに含まれる文字とが対応するか否かを確認する。
【００１７】
第１３の態様の情報処理装置は、オブジェクトは、人物の画像を含み、個人情報は、予め登録された人物の画像を有し、制御部は、照合として、個人情報に含まれる予め登録された人物の画像と、オブジェクトに含まれる人物の画像とが対応するか否かを確認する。
【００１８】
第１４の態様の情報処理装置は、オブジェクトは、形状を有し、個人情報は、予め登録された形状の情報を有し、制御部は、照合として、個人情報に含まれる予め登録された形状の情報と、オブジェクトの形状とが対応するか否かを確認する
【００１９】
第１５の態様の情報処理プログラムは、オブジェクトに搭載されたＩＣチップから取得される個人を識別するための個人情報と、撮影された画像データとを取得するステップと、取得した画像データを解析し、当該画像データに、人物とＩＣチップが搭載されたオブジェクトとの両方が含まれている場合、当該画像データの取得後にＩＣチップから取得される個人情報を利用した処理を行い、当該画像データに、人物と前記ＩＣチップが搭載されたオブジェクトとの少なくとも一方が含まれていない場合、当該処理を行わないステップと、をコンピュータに実行させる。
【発明の効果】
【００２０】
第１の態様の情報処理装置及び第１５の態様の情報処理プログラムによれば、処理の信頼性を高めることができる。
【００２１】
第２の態様の情報処理装置によれば、動作を確認しない場合と比較して、操作を行った人物と、撮影された人物とが同一人物である可能性が高いことを確認した上で処理を進めることができる。
【００２２】
第３の態様の情報処理装置によれば、情報処理装置に通信部を設けられる。
【００２３】
第４の態様の情報処理装置によれば、通信部にオブジェクトを近づける動作を利用して、撮影された人物が操作を行った可能性が高いことを確認した上で処理を進めることができる。
【００２４】
第５の態様の情報処理装置によれば、予め定められた期間内に、人物による予め定められた動作を確認することで、処理の信頼性を高めることができる。
【００２５】
第６の態様の情報処理装置によれば、通知により、人物の動きを誘導し、人物の意思を確認できる。
【００２６】
第７の態様の情報処理装置によれば、人物及びオブジェクトの画像を確実に取得できる。
【００２７】
第８の態様の情報処理装置によれば、人物により自身及びオブジェクトの位置を確認しつつ、適切に配置することを可能にする。
【００２８】
第９の態様の情報処理装置によれば、認証の対象となる人物及びオブジェクトを単一に特定可能とする。
【００２９】
第１０の態様の情報処理装置によれば、個人情報をＩＣチップから取得できる。
【００３０】
第１１の態様の情報処理装置によれば、個人情報と画像データの解析結果との間での照合結果を用いて認証できる。
【００３１】
第１２の態様の情報処理装置によれば、個人情報とオブジェクトに表される文字との間に照合結果を用いて認証できる。
【００３２】
第１３の態様の情報処理装置によれば、個人情報とオブジェクトに表される人物の画像との間の照合結果を用いて認証できる。
【００３３】
第１４の態様の情報処理装置によれば、個人情報に含まれる形状の情報とオブジェクトの形状との間の照合結果を用いて認証できる。
【図面の簡単な説明】
【００３４】
【図１】各実施形態に係る人物の認証の説明に供する情報処理装置１の一例を模式的に示す模式図である。
【図２】各実施形態に係る情報処理装置１のハードウェア構成の一例を示すブロック図である。
【図３】第１実施形態に係る情報処理装置の機能的な構成の一例を示すブロック図である。
【図４】第１実施形態に係る情報処理装置１の人物２及びオブジェクト３の撮影処理の一例を示す概略図である。
【図５】第１実施形態に係る認証処理の一例を示すフローチャートである。
【図６】第２実施形態に係る情報処理装置１の機能的な構成の一例を示すブロック図である。
【図７】第２実施形態に係る情報処理装置１の人物２及びオブジェクト３の撮影処理の一例を示す概略図である。
【図８】第２実施形態に係る情報処理装置のオブジェクト３の撮影処理の一例を示す概略図である。
【図９】第２実施形態に係る情報処理装置のオブジェクト３を近づける動作の撮影処理の一例を示す概略図である。
【図１０】第２実施形態に係る認証処理の一例を示すフローチャートである。
【図１１】第２実施形態に係る人物撮影処理の一例を示すフローチャートである。
【図１２】第２実施形態に係るオブジェクト撮影処理の一例を示すフローチャートである。
【発明を実施するための形態】
【００３５】
［第１実施形態］
以下、図面を参照して、本開示の技術を実施するための形態例を詳細に説明する。なお、本実施形態に係る情報処理装置は、画像を撮影するカメラ、画像を表示するモニタ、及びＩＣチップから情報を取得する近距離通信部を搭載している形態について説明する。しかし、これに限定されない。情報処理装置は、別の場所に設置されているカメラ、及び近距離通信部から情報を取得し、表示する画像を別の場所に設置されているモニタに送信する形態としてよい。なお、カメラは、静止画像を撮影してもよいし、複数の静止画像を連続して撮影することにより得られる動画を撮影してもよい。以下では、カメラが動画を撮影する場合を例示する。カメラにより撮影された複数の静止画像は、連続して再生されることにより、動く画像、すなわち動画として認知される。
【００３６】
図１は、各実施形態に係る人物の認証の説明に供する情報処理装置１の一例を模式的に示す模式図である。情報処理装置１は、カメラ１０、モニタ１１、及び近距離通信部１２を備えている。一例として、本実施形態に係る情報処理装置１は、人物２が所有するスマートフォン又はタブレット等の携帯端末である形態について説明する。しかし、これに限定されない。カメラ１０、モニタ１１、及び近距離通信部１２が接続されたサーバ等の端末であってもよい。
【００３７】
人物２が所持するオブジェクト３には、ＩＣチップ（Ｉｎｔｅｇｒａｔｅｄ  Ｃｉｒｃｕｉｔ）が搭載されており、ＩＣチップには、個人を識別するための人物２の個人情報、又は外部のデータベースに記憶されている人物２の個人情報にアクセスするために必要な情報が記憶されている。個人情報には、例えば、氏名、生年月日、住所、ＩＤ番号、人物２を撮影して予め登録された画像、及びオブジェクト３を撮影して予め登録された画像等が含まれる。
【００３８】
カメラ１０は、情報処理装置１の上方中央部に設けられており、モニタ１１と向かい合っている人物２を撮影可能にするように設けられている。なお、本実施形態では、カメラ１０を情報処理装置１の上方中央部に設ける形態を例示して説明する。しかし、これに限定されない。環境等に応じて、例えば、情報処理装置１の中心部及び下方中央部等にカメラ１０を設けてもよい。また、本実施形態では、カメラ１０として単眼カメラを例示して説明する。しかし、これに限定されない。カメラ１０は、他の形態のカメラ、例えばステレオカメラ等であってもよい。
【００３９】
モニタ１１は、カメラ１０が撮影した人物２及びオブジェクト３の画像等を表示する。モニタ１１は、画像を表示できる限りいかなる装置であってもよい。モニタ１１は、例えば、液晶モニタ、ＣＲＴ（Ｃａｔｈｏｄｅ  Ｒａｙ  Ｔｕｂｅ）モニタ、ＦＰＤ（Ｆｌａｔ  Ｐａｎｅｌ  Ｄｉｓｐｌａｙ）モニタ等である。
【００４０】
近距離通信部１２は、オブジェクト３に搭載されているＩＣチップに電波を送信することで、近距離で無線通信を行い、ＩＣチップから情報を取得する。なお、近距離通信部１２は、ＩＣチップに情報を書き込む機能をさらに備えてもよい。なお、本実施形態に係る近距離通信部１２は、カメラ１０、及びモニタ１１の下方に設けている形態を例示している。しかし、これに限られず、例えば、モニタ１１の上方及び側方等に設ける形態であってもよい。
【００４１】
図２は、各実施形態に係る情報処理装置１のハードウェア構成の一例を示すブロック図である。図２に示すように、本実施形態に係る情報処理装置１は、カメラ１０、モニタ１１、近距離通信部１２、ＣＰＵ（Ｃｅｎｔｒａｌ  Ｐｒｏｃｅｓｓｉｎｇ  Ｕｎｉｔ）１３、ＲＯＭ（Ｒｅａｄ  Ｏｎｌｙ  Ｍｅｍｏｒｙ）１４、ＲＡＭ（Ｒａｎｄｏｍ  Ａｃｃｅｓｓ  Ｍｅｍｏｒｙ）１５、ストレージ１６、通信インターフェース（通信Ｉ／Ｆ）１７、及びスピーカ１８を含んで構成されている。カメラ１０、モニタ１１、近距離通信部１２、ＣＰＵ１３、ＲＯＭ１４、ＲＡＭ１５、ストレージ１６、通信Ｉ／Ｆ１７、及びスピーカ１８の各々はバス１９により相互に接続されている。
【００４２】
ＣＰＵ１３は、情報処理装置１の全体を統括し、制御する。ＲＯＭ１４は、本実施形態で用いる情報処理プログラムを含む各種プログラム及びデータ等を記憶している。ＲＡＭ１５は、各種プログラムの実行時のワークエリアとして用いられるメモリである。ＣＰＵ１３は、ＲＯＭ１４に記憶されたプログラムをＲＡＭ１５に展開して実行することにより、人物２及びオブジェクト３の照合を行う。ストレージ１６は、一例としてＨＤＤ（Ｈａｒｄ  Ｄｉｓｋ  Ｄｒｉｖｅ）、ＳＳＤ（Ｓｏｌｉｄ  Ｓｔａｔｅ  Ｄｒｉｖｅ）、又はフラッシュメモリ等である。なお、ストレージ１６には、情報処理プログラム等を記憶してもよい。通信Ｉ／Ｆ１７は、データの送受信を行う。スピーカ１８は、音声の出力を行う。
【００４３】
オブジェクト３は、アンテナ３１、及びＩＣチップ３２を含む。アンテナ３１は、近距離通信部１２から受信した電波に応じて、近距離通信部１２から情報の受信、及び情報の送信を行う。ＩＣチップ３２は、人物２の個人情報を記憶している。
【００４４】
次に、情報処理装置１の機能構成について説明する。図３は、第１実施形態に係る情報処理装置の機能的な構成の一例を示すブロック図である。
【００４５】
図３に示すように、情報処理装置１は、通信部１０１、撮影部１０２、取得部１０３、制御部１０４、表示部１０５、処理部１０６、及び通知部１０７を有する。ＣＰＵ１３が情報処理プログラムを実行し、ハードウェア構成を制御することで、通信部１０１、撮影部１０２、取得部１０３、制御部１０４、表示部１０５、処理部１０６、及び通知部１０７として機能する。
【００４６】
通信部１０１は、オブジェクトに搭載されたＩＣチップ３２と近距離通信を行う。具体的には、通信部１０１は、オブジェクト３と近距離通信を行い、オブジェクト３に記憶されている個人情報、または外部のデータベースに記憶されている人物２の個人情報にアクセスするために必要な情報を受信する。また、通信部１０１は、外部のサーバ及び端末等にデータの送受信を行う。撮影部１０２は、カメラ１０を用いて、画像を撮影する。
【００４７】
取得部１０３は、オブジェクト３に搭載されたＩＣチップ３２から取得される個人を識別するための個人情報と、撮影された画像データとを取得する。具体的には、取得部１０３は、通信部１０１を介して、オブジェクト３から個人情報を取得する。また、取得部１０３は、撮影部１０２によって撮影された画像データを取得する。
【００４８】
制御部１０４は、取得部１０３により取得した画像データを解析し、画像データに、人物２とＩＣチップ３２が搭載されたオブジェクト３との両方が含まれている場合、画像データの取得後にＩＣチップ３２から取得される個人情報を利用した処理を行うように制御する。また、制御部１０４は、画像データに、人物２とＩＣチップ３２が搭載されたオブジェクト３との少なくとも一方が含まれていない場合、取得される個人情報を利用した処理を行わないように制御する。
【００４９】
表示部１０５は、撮影部１０２が撮影している人物２及びオブジェクト３の画像を画面に表示する。表示部１０５は、画面中に人物２及びオブジェクト３を配置するための予め定められた領域を表示する。
【００５０】
処理部１０６は、制御部１０４により人物２及びオブジェクト３が認識されると、個人情報を利用した処理を行う。通知部１０７は、音声、画像、及び文字の少なくとも１つを用いて通知を行う。
【００５１】
オブジェクト３は、送信部３０１、及び記憶部３０２を有する。送信部３０１は、近距離通信部１２から電波を受信し、記憶部３０２に記憶されている個人情報を通信部１０１に送信する。記憶部３０２は、個人情報を記憶している。
【００５２】
次に、情報処理装置１の作用について説明する前に、図４を参照して、情報処理装置１が行う人物２の照合を行う際の人物２及びオブジェクト３を撮影する手法について説明する。図４は、第１実施形態に係る情報処理装置１の人物２及びオブジェクト３の撮影処理の一例を示す概略図である。
【００５３】
オブジェクト３は、文字、人物２の画像、及び形状の少なくとも１つを有し、個人情報は、予め登録された文字、人物の画像、及び形状の情報の少なくとも１つを有する。照合方法として、制御部１０４は、個人情報に含まれる文字、人物の画像、及び形状の情報の少なくとも１つの情報と、画像データを解析して得られる文字、人物２の画像、及び形状の少なくとも１つの情報とが対応するか否かを照合する。ここで、対応とは、個人情報に含まれる情報と、画像データを解析して得られる情報とが、同一であると推定されることである。カメラ１０の映り方等によっては、画像データを解析して得られる情報が個人情報に含まれる情報には完全一致しない。しかし、個人情報に含まれる情報と、画像データを解析して得られる情報とが、同一であると推定される程度一致すれば、対応していると判断される。また、画像データを解析する手段として、例えば、画像データに映っている人物２及びオブジェクト３の目、鼻、口、輪郭、及び色等の特徴を特徴点として抽出する方法がある。つまり、取得した画像データから抽出した特徴点と、予め登録されている画像データの特徴点を比較することで、取得した画像データと、予め登録されている画像データとを照合することができる。
【００５４】
本実施形態では、一例として、オブジェクト３は、人物２の画像と、氏名及び住所等の文字とが付されたＩＣチップ３２を搭載したカード（例えば、運転免許証等）であり、ＩＣチップ３２は、個人情報として、人物の画像と、氏名及び住所等の文字とを、予め記憶している形態について説明する。しかし、これに限定されない。オブジェクト３は、色、模様、及び形等の形状を有した物体であってもよい。
【００５５】
情報処理装置１に含まれる表示部１０５は、撮影部１０２が撮影している人物２、オブジェクト３、人物２を配置するための予め定められた領域４０、及びオブジェクト３を配置するための予め定められた領域４１を表示する。
【００５６】
人物２及びオブジェクト３を撮影する場合、制御部１０４は、領域４０に人物２を配置し、領域４１にオブジェクト３を配置する旨を通知部１０７によって、通知させる。
【００５７】
制御部１０４は、人物２及びオブジェクト３を撮影した画像データを取得する。また、制御部１０４は、画像データを解析し、人物２が予め定められた領域４０に収まり、かつオブジェクト３が予め定められた領域４１に収まっているか否かにより、人物２及びオブジェクト３が認識できるか否かの判定を行う。
【００５８】
制御部１０４は、人物２及びオブジェクト３が認識できた場合、個人情報を取得し、個人情報を利用する処理を行う。また、制御部１０４は、人物２が予め定められた領域４０に収まっていない、又はオブジェクト３が予め定められた領域４１に収まっていないことにより、人物２又はオブジェクト３が認識できなかった場合、改めて人物２及びオブジェクト３を撮影する。
【００５９】
具体的には、人物２及びオブジェクト３が認識できた場合、制御部１０４は、オブジェクト３に搭載されたＩＣチップ３２から個人情報を取得し、通信部１０１は、取得した個人情報及び画像データを離れた場所に設置してある端末又はサーバに送信する。また、人物２及びオブジェクト３の少なくとも一方が認識できなかった場合、人物２及びオブジェクト３を再度撮影する。
【００６０】
なお、本実施形態では、人物２及びオブジェクト３の少なくとも一方が認識できなかった場合、人物２及びオブジェクト３を再度撮影する。しかし、これに限定されない。再度撮影する場合、人物２又はオブジェクト３のうち認識できなかった一方のみを撮影する形態としてもよい。例えば、人物２及びオブジェクト３を撮影した際に、オブジェクト３が予め定められた領域４１からはみ出し、認識できなかった場合、オブジェクト３のみを再度撮影する。再度撮影したオブジェクト３と、最初に撮影したオブジェクト３とが同一であると認められる場合、オブジェクト３が認識できたとして、最初に撮影した人物２及び再度撮影したオブジェクト３の画像データを送信してもよい。
【００６１】
また、人物２及びオブジェクト３の少なくとも一方が認識できなかった場合、個人情報を利用する処理を行わない形態としてもよい。例えば、人物２及びオブジェクト３の少なくとも一方が認識できなかった場合、撮影した画像データを情報処理装置１のストレージ等に記憶する、又は撮影した画像を別の場所に設置されているサーバ等に送信する形態としてもよい。
【００６２】
次に、図５を参照して、本実施形態に係る情報処理プログラムの作用について説明する。図５は、第１実施形態に係る認証処理の一例を示すフローチャートである。ＣＰＵ１３がＲＯＭ１４又はストレージ１６から情報処理プログラムを読み出し、実行することによって、図５に示す認証処理が実行される。図５に示す認証処理は、例えば、ユーザが情報処理装置１を起動した場合、情報処理プログラムの実行指示が入力され、認証処理が実行される。
【００６３】
ステップＳ１０１において、ＣＰＵ１３は、認証を開始するか否かの判定を行う。認証を開始する場合（ステップＳ１０１：ＹＥＳ）、ＣＰＵ１３は、ステップＳ１０２に移行する。一方、認証を開始しない場合（ステップＳ１０１：ＮＯ）、ＣＰＵ１３は、認証を開始するまで待機する。
【００６４】
ステップＳ１０２において、ＣＰＵ１３は、撮影部１０２を用いて、人物２及びオブジェクト３を撮影し、画像を取得する。
【００６５】
ステップＳ１０３において、ＣＰＵ１３は、人物２及びオブジェクト３の画像の解析を行う。
【００６６】
ステップＳ１０４において、ＣＰＵ１３は、予め定められた領域に人物２及びオブジェクト３が映っているか否かの判定をする。人物２及びオブジェクト３が映っている場合（ステップＳ１０４：ＹＥＳ）、ＣＰＵ１３は、ステップＳ１０５に移行する。一方、人物２及びオブジェクト３の少なくとも一方が映っていない場合（ステップＳ１０４：ＮＯ）、ＣＰＵ１３は、ステップＳ１０２に移行する。
【００６７】
ステップＳ１０５において、ＣＰＵ１３は、ＩＣチップ３２から個人情報を取得し、個人情報を利用した処理を行う。
【００６８】
以上説明したように、本実施形態によれば、人物２及びオブジェクト３を撮影した画像データを解析し、人物２及びオブジェクト３が認識された場合、個人情報を利用する処理を行う。従って、処理の信頼性を高めることができる。
【００６９】
［第２実施形態］
第１実施形態では、撮影された画像データに人物２及びオブジェクト３を認識することができる場合、個人情報を利用する処理を行う形態について説明した。本実施形態では、人物２及びオブジェクト３を撮影する際、人物２が行う予め定められた動作を認識できた場合、個人情報を利用する処理を行う形態について説明する。なお、本実施形態に係る情報処理装置１の構成（図１参照）、及び情報処理装置１のハードウェア構成（図２参照）は、第１実施形態と同様であるため、説明を省略する。
【００７０】
図６を参照して、情報処理装置１の機能構成について説明する。図６は、第２実施形態に係る情報処理装置１の機能的な構成の一例を示すブロック図である。なお、図６における図３に示す情報処理装置１の機能と同一の構成要素については、図３と同一の符号を付して、その説明を省略する。
【００７１】
制御部１１４は、取得部により取得した画像データを解析し、画像データに、人物２とＩＣチップ３２が搭載されたオブジェクト３との両方が含まれているか否かを確認する。制御部１１４は、画像データに、人物２とＩＣチップ３２が搭載されたオブジェクト３との少なくとも一方が含まれていない場合、ＩＣチップ３２から取得される個人情報を利用した処理を行わないように制御する。また、制御部１１４は、画像データを解析した結果、人物２がオブジェクト３を把持し、かつ予め定められた動作を行っていると認められる場合、個人情報を利用した処理を行う。なお、本実施形態に係る予め定められた動作とは、人物２が近距離通信を行うためにオブジェクト３を通信部１０１に近づける動作である。
【００７２】
表示部１１５は、撮影部１０２が撮影している人物２及びオブジェクト３の画像と、オブジェクト３の画像とを画面に表示する。表示部１１５は、画面中に人物２及びオブジェクト３を配置するための予め定められた領域と、オブジェクト３を配置するための予め定められた領域とを表示する。
【００７３】
通知部１１７は、音声、画像、及び文字の少なくとも１つを用いて通知を行う。また、通知部１１７は、表示部１１５の画面中に予め定められた領域に人物２及びオブジェクト３の少なくとも一方が配置されていない場合、予め定められた領域に映すための指示を通知する。また、通知部１１７は、表示部１１５の画面中の予め定められた領域に複数の人物２又は複数のオブジェクト３が映っている場合、予め定められた領域に単一の人物２又は単一のオブジェクト３を映すための指示を通知する。
【００７４】
また、制御部１１４は、通知部１１７により、人物２及びオブジェクト３を撮影するために、人物２を誘導するための通知を行う。また、制御部１１４は、人物２とオブジェクト３との距離が変化するように、人物２に対してオブジェクト３の位置を変化させることを促す通知を、通知部１１７に通知させる。制御部１１４は、人物２及びオブジェクト３の画像が取得できなかった場合、通知部１１７に画像が取得できなかった旨を通知させる。
【００７５】
次に、情報処理装置１の作用について説明する前に、図７、８、９を参照して、情報処理装置１が行う人物２を照合するための手法について説明する。まず、図７を参照して、照合を行う際の人物２及びオブジェクト３を撮影する手法について説明する。図７は、第２実施形態に係る情報処理装置１の人物２及びオブジェクト３の撮影処理の一例を示す概略図である。
【００７６】
図７に示すように、人物２及びオブジェクト３を撮影する場合、制御部１１４は、領域４０に人物２を配置し、領域４１にオブジェクト３を配置する旨を通知部１１７によって、通知させる。また、制御部１１４は、人物２及びオブジェクト３の画像が取得できなかった場合、通知部１１７に画像が取得できなかった旨を通知させる。
【００７７】
具体的には、制御部１１４は、領域４０に人物２、及び領域４１にオブジェクト３の少なくとも一方が配置されていない場合、領域４０に人物２、及び領域４１にオブジェクト３を配置する旨を通知部１１７によって、通知させる。また、制御部１１４は、領域４０に複数の人物２、又は領域４１に複数のオブジェクト３が配置されている場合、領域４０及び領域４１に、単一の人物２又は単一のオブジェクト３を配置する旨を通知部１１７によって、通知させる。また、制御部１１４は、人物２が領域４０内に収まっていない場合、又はオブジェクト３が領域４１内に収まっていない場合、人物２を領域４０内、又はオブジェクト３を領域４１内に収まるように配置する旨を通知部１１７によって、通知させる。
【００７８】
また、制御部１１４は、人物２及びオブジェクト３を撮影した画像を取得した場合、オブジェクト３を情報処理装置１に近づける旨を通知部１１７によって、通知させる。
【００７９】
次に、図８を参照して、近づけられたオブジェクト３を撮影する場合について説明する。図８は、第２実施形態に係る情報処理装置のオブジェクト３の撮影処理の一例を示す概略図である。
【００８０】
図８に示すように、情報処理装置１に含まれる表示部１１５は、撮影部１０２によって撮影された人物２、オブジェクト３、及びオブジェクト３を配置する予め定められた領域４２を表示する。
【００８１】
オブジェクト３の外観を撮影する場合、制御部１１４は、領域４２にオブジェクト３を配置する旨を通知部１１７によって、通知させる。また、制御部１１４は、オブジェクト３の画像が取得できなかった場合、通知部１１７に画像が取得できなかった旨を通知させる。
【００８２】
具体的には、領域４２にオブジェクト３が配置されていない場合、制御部１１４は、領域４２にオブジェクト３を配置する旨を通知部１１７によって、通知させる。また、領域４２に複数のオブジェクト３が配置されている場合、制御部１１４は、領域４２に、単一のオブジェクト３を配置する旨を通知部１１７によって、通知させる。また、オブジェクト３が領域４２内に収まっていない場合、制御部１１４は、オブジェクト３を領域４２内に収まるように配置する旨を通知部１１７によって、通知させる。
【００８３】
また、オブジェクト３の外観を撮影した画像を取得した場合、制御部１１４は、人物２及びオブジェクト３を撮影した画像、及びオブジェクト３を撮影した画像の解析を行う。また、画像を解析した結果、人物２と、オブジェクト３との間の距離が変化している場合、制御部１１４は、オブジェクト３を近距離通信部１２に近づける旨を通知部１１７によって、通知させる。また、画像が取得できなかった場合、制御部１１４は、画像が取得できなかった旨を通知部１１７によって、通知させる。
【００８４】
次に、図９を参照して、オブジェクト３を近距離通信部１２に近づける動作を撮影する場合について説明する。図９は、第２実施形態に係る情報処理装置のオブジェクト３を近づける動作の撮影処理の一例を示す概略図である。
【００８５】
図９に示すように、情報処理装置１に含まれる表示部１１５は、撮影部１０２によって撮影された人物２、オブジェクト３、及びオブジェクト３を配置する予め定められた領域４３を表示する。オブジェクト３を近づける動作を撮影する場合、オブジェクト３を配置する予め定められた領域４３は、予め定められた領域４２を拡大して、表示部１１５に表示される。
【００８６】
また、オブジェクト３を近づける動作を撮影した場合、制御部１１４は、撮影したオブジェクト３の画像データと、図８で撮影したオブジェクト３の画像データとを比較する。制御部１１４は、オブジェクト３の画像が大きくなる等、オブジェクト３を近づけている動作を行っていると認められた場合、取得部１０３は、オブジェクト３から個人情報を取得する。また、制御部１１４は、オブジェクト３を近づけている動作を行っていると認められない場合、予め定められた期間が経過したか否かを判定する。また、制御部１１４は、予め定められた期間が経過していない場合、再度、オブジェクト３を近づける動作を撮影する。また、制御部１１４は、予め定められた期間が経過している場合、再度、人物２及びオブジェクト３を撮影する。
【００８７】
なお、本実施形態では、予め定められた動作として、オブジェクト３を近距離通信部１２に近づける動作を認識する形態について説明した。しかし、これに限定されない。人物２が手を上に挙げる、人物２が振り返り身体を反転させる等の動作を、予め定められた動作として認識してもよいし、オブジェクト３を近距離通信部１２から遠ざける動作を認識してもよい。
【００８８】
また、本実施形態ではオブジェクト３が大きくなった場合、オブジェクト３を近づけていると認識する形態について、説明した。しかし、これに限定されない。情報処理装置１は、人物２を側面から撮影する撮影部１０２をさらに有し、撮影部１０２が撮影した画像データから、人物２がオブジェクト３を近距離通信部１２に近づける動作等を認識してもよい。また、情報処理装置１は、人物２を側面から撮影する撮影部１０２をさらに有し、人物２と、オブジェクト３との距離、又は情報処理装置１と、オブジェクト３との距離を計測して認識してもよい。
【００８９】
また、本実施形態に係る予め定められた期間は、オブジェクト３を近距離通信部１２に近づける通知を行ってから、画像データを占めるオブジェクト３の大きさが予め定められた大きさより大きくなるまでの期間である。しかし、これに限定されない。予め定められた期間は、オブジェクト３を近距離通信部１２に近づける通知を行ってから経過した時間であってもよい。
【００９０】
オブジェクト３を近づける動作を認識できた場合、取得部１０３は、オブジェクト３から個人情報を取得し、制御部１１４は、撮影部１０２によって撮影された人物２及びオブジェクト３の画像と、オブジェクト３の画像と、個人情報とを照合し、人物２の認証を行う。
【００９１】
照合方法として、制御部１１４は、オブジェクト３を撮影した画像を解析して、オブジェクト３に付されている人物２の画像、氏名、住所等の情報（以下、「人物情報」という。）を取得する。制御部１１４は、オブジェクト３に搭載されているＩＣチップ３２から取得した個人情報と、オブジェクト３に付されている人物情報とを照合する。
【００９２】
また、制御部１１４は、人物２及びオブジェクト３を撮影した画像を解析して、取得した人物２の顔画像と、個人情報から取得した人物の画像とを照合する。
【００９３】
上述した照合結果が一致した場合、制御部１１４は、人物２を認証する。
【００９４】
なお、本実施形態では、人物２及びオブジェクト３の画像と、オブジェクト３の画像と、個人情報との順番で、画像及び情報を取得する形態について説明した。しかし、これに限定されない。まず、個人情報を取得してからオブジェクト３の画像、及び人物２と、オブジェクト３との画像を取得する等、画像及び情報を取得する順番を入れ替えてもよい。
【００９５】
次に、図１０、１１、１２を参照して、本実施形態に係る情報処理プログラムの作用について説明する。まず、図１０は、第２実施形態に係る認証処理の一例を示すフローチャートである。ＣＰＵ１３がＲＯＭ１４又はストレージ１６から情報処理プログラムを読み出し、実行することによって、図１０に示す認証処理が実行される。図１０に示す認証処理は、例えば、ユーザが情報処理装置１を起動した場合、情報処理プログラムの実行指示が入力され、認証処理が実行される。
【００９６】
ステップＳ１１１において、ＣＰＵ１３は、撮影部１０２を用いて、人物２及びオブジェクト３を撮影し、画像を取得する。
【００９７】
ステップＳ１１２において、ＣＰＵ１３は、通知部１１７を用いて、人物２にオブジェクトを近づける旨の通知を行う。
【００９８】
ステップＳ１１３において、ＣＰＵ１３は、撮影部１０２を用いて、オブジェクト３を撮影し、画像を取得する。
【００９９】
ステップＳ１１４において、ＣＰＵ１３は、人物２及びオブジェクト３の画像と、オブジェクト３の画像の解析を行い、人物２及びオブジェクト３の位置関係、オブジェクト３の外観に関する情報を取得する。
【０１００】
ステップＳ１１５において、ＣＰＵ１３は、人物２と、オブジェクト３との間の距離が変化しているか否かの判定を行う。距離が変化している場合（ステップＳ１１５：ＹＥＳ）、ＣＰＵ１３は、ステップＳ１０８に移行する。距離が変化していない場合（ステップＳ１１５：ＮＯ）、ＣＰＵ１３は、ステップＳ１１６に移行する。
【０１０１】
ステップＳ１１６において、ＣＰＵ１３は、通知部１１７を用いて、人物２と、オブジェクト３との間の距離が変化していない旨の通知を行う。
【０１０２】
ステップＳ１１７において、ＣＰＵ１３は、通知部１１７を用いて、オブジェクト３を近距離通信部１２に近づける旨の通知を行う。
【０１０３】
ステップＳ１１８において、ＣＰＵ１３は、人物２がオブジェクト３を近距離通信部１２に近づけている動作を撮影し、画像データを取得する。
【０１０４】
ステップＳ１１９において、ＣＰＵ１３は、取得した画像データを解析し、予め定められた動作として、人物２がオブジェクト３を近距離通信部１２に近づけている動作を認識する。
【０１０５】
ステップＳ１２０において、ＣＰＵ１３は、予め定められた動作を認識できたか否かの判定を行う。認識できた場合（ステップＳ１２０：ＹＥＳ）、ＣＰＵ１３は、ステップＳ１２２に移行する。認識できない場合（ステップＳ１２０：ＮＯ）、ＣＰＵ１３は、ステップＳ１２１に移行する。
【０１０６】
ステップＳ１２１において、ＣＰＵ１３は、予め定められた期間が経過したか否かの判定を行う。予め定められた期間が経過した場合（ステップＳ１２１：ＹＥＳ）、ＣＰＵ１３は、ステップＳ１１１に移行する。予め定められた期間が経過していない場合（ステップＳ１２１：ＮＯ）、ＣＰＵ１３は、ステップＳ１１８に移行する。
【０１０７】
ステップＳ１２２において、ＣＰＵ１３は、オブジェクト３と近距離通信を行い、オブジェクト３に搭載されているＩＣチップ３２から個人情報を取得する。
【０１０８】
ステップＳ１２３において、ＣＰＵ１３は、人物２及びオブジェクト３の画像データと、オブジェクト３の画像データとを解析した解析結果を個人情報と照合を行う。
【０１０９】
ステップＳ１２４において、ＣＰＵ１３は、照合結果が一致するか否かの判定を行う。照合結果が一致する場合（ステップＳ１２４：ＹＥＳ）、ＣＰＵ１３は、ステップＳ１２５に移行する。照合結果が一致しない場合（ステップＳ１２４：ＮＯ）、ＣＰＵ１３は、ステップＳ１２６に移行する。
【０１１０】
ステップＳ１２５において、ＣＰＵ１３は、人物２及びオブジェクト３の画像データ、オブジェクト３の画像データ、及び個人情報を送信する。
【０１１１】
ステップＳ１２６において、ＣＰＵ１３は、通知部１０７を用いて、照合結果が一致しない旨の通知を行う。
【０１１２】
次に、図１１を参照して、本実施形態に係る人物撮影処理について説明する。図１１は、第２実施形態に係る人物撮影処理の一例を示すフローチャートである。ＣＰＵ１３がＲＯＭ１４又はストレージ１６から人物撮影プログラムを読み出し、実行することによって、図１１に示す人物撮影処理が実行される。図１１に示す人物撮影処理は、例えば、情報処理プログラムが人物撮影処理の実行指示を行い、実行される。
【０１１３】
ステップＳ２０１において、ＣＰＵ１３は、撮影部１０２を用いて、撮影範囲を撮影する。
【０１１４】
ステップＳ２０２において、ＣＰＵ１３は、撮影した画像の解析を行い、人物２及びオブジェクト３が映っているか否かの判定をする。より具体的には、予め定められた領域に人物２及びオブジェクト３が映っているか否かの判定をする。人物２及びオブジェクト３が映っている場合（ステップＳ２０２：ＹＥＳ）、ＣＰＵ１３は、ステップＳ２０４に移行する。一方、人物２及びオブジェクト３が映っていない場合（ステップＳ２０２：ＮＯ）、ＣＰＵ１３は、ステップＳ２０３に移行する。
【０１１５】
ステップＳ２０３において、ＣＰＵ１３は、通知部１０７を用いて、人物２、又はオブジェクト３が予め定められた領域に映っていない旨の通知を行う。
【０１１６】
ステップＳ２０４において、ＣＰＵ１３は、予め定められた領域に人物２及びオブジェクト３が単一で映っているか否かの判定をする。人物２及びオブジェクト３が単一で映っている場合（ステップＳ２０４：ＹＥＳ）、ＣＰＵ１３は、ステップＳ２０６に移行する。一方、人物２、又はオブジェクト３が単一で映っていない場合（ステップＳ２０４：ＮＯ）、ＣＰＵ１３は、ステップＳ２０５に移行する。
【０１１７】
ステップＳ２０５において、ＣＰＵ１３は、通知部１０７を用いて、人物２、又はオブジェクト３を単一で映す旨の通知を行う。
【０１１８】
ステップＳ２０６において、ＣＰＵ１３は、人物２及びオブジェクト３が予め定められた領域内に収まっているか否かの判定を行う。人物２及びオブジェクト３が予め定められた領域内に収まっている場合（ステップＳ２０６：ＹＥＳ）、ＣＰＵ１３は、ステップＳ２０８に移行する。人物２及びオブジェクト３が予め定められた領域内に収まっていない場合（ステップＳ２０６：ＮＯ）、ＣＰＵ１３は、ステップＳ２０７に移行する。
【０１１９】
ステップＳ２０７において、ＣＰＵ１３は、通知部１０７を用いて、人物２、又はオブジェクト３を予め定められた領域内に収める旨の通知を行う。
【０１２０】
ステップＳ２０８において、ＣＰＵ１３は、撮影した画像をＲＡＭ１５に記憶し、撮影処理を終了する。
【０１２１】
次に、図１２を参照して、本実施形態に係るオブジェクト撮影処理について説明する。図１２は、第２実施形態に係るオブジェクト撮影処理の一例を示すフローチャートである。ＣＰＵ１３がＲＯＭ１４又はストレージ１６からオブジェクト撮影プログラムを読み出し、実行することによって、図１２に示すオブジェクト撮影処理が実行される。図１２に示すオブジェクト撮影処理は、例えば、情報処理プログラムがオブジェクト撮影処理の実行指示を行い、実行される。
【０１２２】
ステップＳ３０１において、ＣＰＵ１３は、撮影部１０２を用いて、オブジェクト３を撮影する。
【０１２３】
ステップＳ３０２において、ＣＰＵ１３は、予め定められた領域にオブジェクト３が映っているか否かの判定をする。オブジェクト３が映っている場合（ステップＳ３０２：ＹＥＳ）、ＣＰＵ１３は、ステップＳ３０４に移行する。一方、オブジェクト３が映っていない場合（ステップＳ３０２：ＮＯ）、ＣＰＵ１３は、ステップＳ３０３に移行する。
【０１２４】
ステップＳ３０３において、ＣＰＵ１３は、通知部１０７を用いて、オブジェクト３が予め定められた領域に映す旨の通知を行う。
【０１２５】
ステップＳ３０４において、ＣＰＵ１３は、予め定められた領域にオブジェクト３が単一で映っているか否かの判定をする。オブジェクト３が単一で映っている場合（ステップＳ３０４：ＹＥＳ）、ＣＰＵ１３は、ステップＳ３０６に移行する。一方、オブジェクト３が単一で映っていない場合（ステップＳ３０４：ＮＯ）、ＣＰＵ１３は、ステップＳ３０５に移行する。
【０１２６】
ステップＳ３０５において、ＣＰＵ１３は、通知部１０７を用いて、オブジェクト３を単一で映す旨の通知を行う。
【０１２７】
ステップＳ３０６において、ＣＰＵ１３は、オブジェクト３が予め定められた領域内に収まっているか否かの判定を行う。オブジェクト３が予め定められた領域内に収まっている場合（ステップＳ３０６：ＹＥＳ）、ＣＰＵ１３は、ステップＳ３０８に移行する。オブジェクト３が予め定められた領域内に収まっていない場合（ステップＳ３０６：ＮＯ）、ＣＰＵ１３は、ステップＳ３０７に移行する。
【０１２８】
ステップＳ３０７において、ＣＰＵ１３は、通知部１０７を用いて、オブジェクト３を予め定められた領域内に収める旨の通知を行う。
【０１２９】
ステップＳ３０８において、ＣＰＵ１３は、撮影した画像をＲＡＭ１５に記憶し、撮影処理を終了する。
【０１３０】
なお、本実施形態では、照合が一致した場合、予め定められた処理として、人物２及びオブジェクト３の画像データ、オブジェクト３の画像データ、及び個人情報を送信する形態について説明した。しかし、これに限定されない。情報処理装置１は、人物２の個人情報をストレージに記憶し、取得した個人情報と、記憶した個人情報とを照合し、照合が一致した場合、ドア等を開く処理を行ってもよい。
【０１３１】
また、本実施形態では、個人情報はＩＣチップ３２に記憶されている形態について説明した。しかし、これに限定されない。個人情報は、情報処理装置１のストレージ１６に記憶されていてもよい。例えば、ＩＣチップ３２は、対象者毎に一意に決まる情報（以下、「対象者キー」という。）を記憶し、情報処理装置１は、個人情報と、対象者キーとを紐づけて記憶している形態としてもよい。また、情報処理装置１は、ＩＣチップ３２から対象者キーを取得し、対象者キーを用いて個人情報を特定し、取得する形態としてもよい。
【０１３２】
また、個人情報は、ＩＣチップ３２及び情報処理装置１のストレージ１６に記憶されていてもよい。例えば、ＩＣチップ３２及び情報処理装置１は、個人情報を記憶し、情報処理装置１は、ＩＣチップから取得した個人情報と、情報処理装置１が記憶している個人情報を照合する形態としてもよい。
【０１３３】
以上説明したように、本実施形態によれば、人物２及びオブジェクト３を撮影した画像、オブジェクト３を撮影した画像、及び個人情報を照合する際に人物２による予め定められた動作が確認できない場合、人物２の照合を行わない。以上説明したように、本実施形態によれば、第１実施形態と同様の効果を奏することができる。
【０１３４】
なお、本実施形態では、カメラ１０は、人物２の正面の画像を撮影する形態について説明した。しかし、これに限定されない。カメラ１０は、複数箇所に設置され、人物２の正面及び側面の画像を撮影し、側面を撮影した画像から人物２及びオブジェクト３の位置関係の変化を導出してもよい。
【０１３５】
また、本実施形態では、予め定められた動作を認識した後、人物２及びオブジェクト３の画像データと、オブジェクト３の画像データと、個人情報とを用いて照合を行い、照合が一致した場合、画像データ及び個人情報等を送信する形態について説明した。しかし、これに限定されない。予め定められた動作を認識できた場合、画像データ及び個人情報等を送信する形態としてもよい。
【実施例】
【０１３６】
次に、本発明を利用した実施例について、説明する。
【０１３７】
（実施例１）
まず、本発明を利用して、銀行口座の開設する際の個人情報の登録及び本人確認を行う実施例について説明する。また、情報処理装置１は、ユーザが所持しているスマートフォン等の端末を用いて実施する例について説明する。
【０１３８】
端末は、ユーザが入力フォームに従い、必要事項を記入した後、ユーザ及び運転免許証（第一のデータ）を撮影を行う。端末は、「本人及び運転免許証の撮影を開始します」というメッセージを画面に表示し、ユーザに撮影の準備を促す。端末は、カメラ機能を起動する。端末は、「画面に表示された矩形の領域内に収まるように、本人及び運転免許証を映してください」というメッセージを画面に表示し、画面にカメラが撮影している画像及び矩形を表示する。端末は、ユーザ及び運転免許証を撮影する際に、矩形の領域内にユーザ及び運転免許証が矩形の領域内に収まっていない、又はユーザ及び運転免許証が映っていない場合、「矩形の領域内に本人及び運転免許証を収めてください」というメッセージを画面に表示する。また、端末は、複数のユーザ及び運転免許証が表示されている場合、「矩形の領域内には、一人のユーザ、及び一つの運転免許証だけを収めてください」というメッセージを画面に表示する。
【０１３９】
ユーザ及び運転免許証の撮影が完了した場合、端末は、運転免許証（第二のデータ）を撮影する。端末は、「運転免許証をカメラに近づけて、画面に表示された矩形の領域内に運転免許証が収まるように配置してください」というメッセージを画面に表示し、矩形の領域を拡大して画面に表示する。端末は、運転免許証を撮影する際に、矩形の領域内に運転免許証が矩形の領域内に収まっていない場合、又は運転免許証が映っていない場合、「矩形の領域内に運転免許証を収めてください」というメッセージを画面に表示する。また、複数の運転免許証が表示されている場合、端末は、「矩形の領域内には、一つの運転免許証を収めてください」というメッセージを画面に表示する。
【０１４０】
運転免許証（第二のデータ）の撮影が完了した場合、端末は、第一のデータに含まれるユーザの画像データと、第二のデータに含まれる人物の画像データとを抽出し、照合を行う。
【０１４１】
また、端末は、「運転免許証を端末の近距離通信部１２に近づけてください」というメッセージを画面に表示する。端末は、近距離通信部を介して、運転免許証に搭載されているＩＣチップと近距離通信を行い、ＩＣチップに記憶されているユーザの氏名、住所、及び顔情報のデータ（第三のデータ）を取得する。端末は、第二のデータに含まれる運転免許証の画像データから運転免許証の表面に印刷されているユーザの氏名、住所、及び顔情報のデータ（ユーザ情報）を抽出し、第三のデータとユーザ情報とに含まれるユーザの氏名、住所、及び顔情報と照合をする。
【０１４２】
照合結果が一致した場合、端末は、「本人確認が完了致しました」というメッセージを画面に表示し、ユーザが記入した情報、第一のデータ、第二のデータ、及び第三のデータをユーザの情報を管理するサーバに送信する。また、照合結果が一致しなかった場合、端末は、「本人確認ができませんでした。もう一度撮影を行ってください」というメッセージを画面に表示し、カメラ機能を起動する。
【０１４３】
（実施例２）
次に、本発明を利用して、在宅勤務の勤怠管理を行う実施例について説明する。また、情報処理装置１は、ユーザが所持しているスマートフォン等の端末から個人情報等を取得し、端末に通知を行うサーバである例について説明する。
【０１４４】
サーバは、ユーザが所有する携帯端末からの実行指示に従い、「勤怠の登録を行いますか」というメッセージを携帯端末の画面に表示させる。ユーザから登録を行う指示を受け取った場合、サーバは、携帯端末のカメラ機能を起動させ、「画面に表示された矩形の領域内に本人及び社員証を収めてください」というメッセージを携帯端末の画面に表示させる。また、サーバは、携帯端末から受信したユーザ及び社員証の画像データを解析し、社員証の表面に付された人物の画像と、画像データに含まれるユーザの画像とが一致した場合、ユーザによる勤怠の登録を受け付ける。また、サーバは、受信した画像データにユーザ又は社員証が認識できない場合、携帯端末の画面に「本人又は社員証が認識できませんでした。登録処理を終了します。」というメッセージを携帯端末の画面に表示させ、ユーザによる勤怠の登録を受け付けず、登録処理を終了する。
【０１４５】
（実施例３）
次に、本発明を利用して、自宅のドアを開錠する（スマートキー）実施例について説明する。また、情報処理装置１は、ユーザの玄関に設置されているインターフォンである例について説明する。
【０１４６】
インターフォンは、呼び出しボタンが押下された場合、「本人及び身分証明書を撮影します」というメッセージを画面に表示し、インターフォンのカメラ機能を起動する。インターフォンは、ユーザ及び身分証明書を撮影した後、「身分証明書をインターフォン通信部に近づけてください」というメッセージを画面に表示する。インターフォンは、ユーザが身分証明書を近距離通信部に近づける様子を撮影する。インターフォンは、撮影した画像を解析して、インターフォンと身分証明書とが近距離通信を行うまでの期間に、ユーザが身分証明書を近づける動作を認識できたか否かの判定を行う。ユーザによる身分証明書を近づける動作を認識できた場合、インターフォンは、ＩＣチップから取得した情報と、撮影されたユーザ及び身分証明書の画像データと、開錠するか否かの問い合わせを管理者の端末に送信する。インターフォンは、問い合わせを送信した後、管理者からの応答に応じて、ドアの開錠を行う。また、ユーザによる身分証明書を近づける動作を認識できなかった場合、インターフォンは、「身分証明書を近づける動作を認識できませんでした」というメッセージを画面に表示して、処理を終了する。
【０１４７】
（実施例４）
次に、本発明を利用して、オブジェクト３の形状を利用した鍵を作成し、ドアを開錠する実施例について説明する。また、情報処理装置１は、ユーザの玄関に設置されているインターフォンである例について説明する。
【０１４８】
ＩＣチップには、オブジェクト毎に一意に決まっている識別番号が予め記憶されており、インターフォンのストレージにも同様に、予めオブジェクトの三次元的な形状と、ユーザの顔画像と、識別番号が記憶されている。インターフォンは、呼び出しボタンが押下された場合、「本人及びオブジェクトを撮影します」というメッセージをスピーカを用いて再生し、インターフォンのカメラ機能を起動する。インターフォンは、ユーザ及びオブジェクトを撮影した後、「オブジェクトを回転させてください」というメッセージをスピーカを用いて再生し、オブジェクトを撮影する。インターフォンは、撮影したオブジェクトの画像データからオブジェクトの三次元的な形状を解析し、取得する。インターフォンは、オブジェクトの撮影が完了した後、「オブジェクトをインターフォンの近距離通信部に近づけてください」というメッセージをスピーカを用いて再生し、オブジェクトに搭載されているＩＣチップと近距離通信を行い、識別番号を取得する。インターフォンは、取得した識別番号を用いて、インターフォンのストレージに予め記憶されているオブジェクトの三次元的な形状と、ユーザの顔画像を取得する。インターフォンは、撮影したユーザ及びオブジェクト３の画像データからユーザの顔画像を取得し、取得した顔画像と、予め記憶されているユーザの顔画像とを比較する。また、インターフォンは、撮影されたオブジェクトの三次元的な形状と、記憶されているオブジェクトの三次元的な形状を比較する。インターフォンは、顔画像の比較結果と、オブジェクトの三次元的な形状の比較結果とが一致した場合、ドアの開錠を行う。また、インターフォンは、顔画像の比較結果と、オブジェクトの三次元的な形状の比較結果とが一致しなかった場合、「本人又はオブジェクトの情報が登録されている情報と一致しませんでした」というメッセージをスピーカを用いて再生して、処理を終了する。
【０１４９】
その他、上記実施形態で説明した情報処理装置の構成は、一例であり、主旨を逸脱しない範囲内において状況に応じて変更してもよい。
【０１５０】
また、上記実施形態で説明したプログラムの処理の流れも、一例であり、主旨を逸脱しない範囲内において不要なステップを削除したり、新たなステップを追加したり、処理順序を入れ替えたりしてもよい。
【０１５１】
なお、上記実施形態でＣＰＵがソフトウェア（プログラム）を読み込んで実行した情報処理及び撮影処理を、ＣＰＵ以外の各種のプロセッサが実行してもよい。この場合のプロセッサとしては、ＦＰＧＡ（Ｆｉｅｌｄ  Ｐｒｏｇｒａｍｍａｂｌｅ  Ｇａｔｅ  Ａｒｒａｙ）等の製造後に回路構成を変更可能なＰＬＤ（Ｐｒｏｇｒａｍｍａｂｌｅ  Ｌｏｇｉｃ  Ｄｅｖｉｃｅ）、及びＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）等の特定の処理を実行させるために専用に設計された回路構成を有するプロセッサである専用電気回路等が例示される。また、画像を撮影する処理及び個人情報を取得する処理を、これらの各種のプロセッサのうちの１つで実行してもよいし、同種又は異種の２つ以上のプロセッサの組み合わせ（例えば、複数のＦＰＧＡ、及びＣＰＵとＦＰＧＡとの組み合わせ等）で実行してもよい。また、これらの各種のプロセッサのハードウェア的な構造は、より具体的には、半導体素子等の回路素子を組み合わせた電気回路である。
【０１５２】
また、上記各実施形態では、情報処理及び撮影処理のプログラムがストレージ１６に予め記憶（インストール）されている態様を説明したが、これに限定されない。プログラムは、ＣＤ−ＲＯＭ（Ｃｏｍｐａｃｔ  Ｄｉｓｋ  Ｒｅａｄ  Ｏｎｌｙ  Ｍｅｍｏｒｙ）、ＤＶＤ−ＲＯＭ（Ｄｉｇｉｔａｌ  Ｖｅｒｓａｔｉｌｅ  Ｄｉｓｋ  Ｒｅａｄ  Ｏｎｌｙ  Ｍｅｍｏｒｙ）、及びＵＳＢ（Ｕｎｉｖｅｒｓａｌ  Ｓｅｒｉａｌ  Ｂｕｓ）メモリ等の記録媒体に記録された形態で提供されてもよい。また、プログラムは、ネットワークを介して外部装置からダウンロードされる形態としてもよい。
【符号の説明】
【０１５３】
１ 情報処理装置
２ 人物
３ オブジェクト
１０ カメラ
１１ モニタ
１２ 近距離通信部
１３ ＣＰＵ
１４ ＲＡＭ
１５ ＲＯＭ
１６ ストレージ
１７ 通信Ｉ／Ｆ
１８ スピーカ
１９ バス
３１ アンテナ
３２ ＩＣチップ
１０１ 通信部
１０２ 撮影部
１０３ 取得部
１０４ 制御部
１０５ 表示部
１０６ 処理部
１０７ 通知部
３０１ 送信部
３０２ 記憶部
【図１】
2020194295.tif 000003
【図２】
2020194295.tif 000004
【図３】
2020194295.tif 000005
【図４】
2020194295.tif 000006
【図５】
2020194295.tif 000007
【図６】
2020194295.tif 000008
【図７】
2020194295.tif 000009
【図８】
2020194295.tif 000010
【図９】
2020194295.tif 000011
【図１０】
2020194295.tif 000012
【図１１】
2020194295.tif 000013
【図１２】
2020194295.tif 000014